(57)【要約】【課題】  軽量化を図り且つ容易に製造できるようにする。【解決手段】  底鋼板１９上に、筒状の胴部２１ａとアーチ形状の天井部２１ｂからなる中空の埋め殺し用型枠２１を、橋軸方向及び橋幅方向に所要間隔で並ぶように配列して、下端をそれぞれ底鋼板１９に貼り付ける。底鋼板１９上に、各埋め殺し用型枠２１を埋設するようコンクリートを打設してなるコンクリート層２０を設けて合成床版１８を形成する。コンクリート層２０の下面側に埋め殺し用型枠２１に対応する空洞を形成して軽量化を図り、各空洞は埋め殺し用型枠２１に沿うアーチ形状とすることで上方からの荷重に耐える構造とさせる。【選択図】図１
2010216187.tif 000002
【特許請求の範囲】
【請求項１】
底鋼板と、底鋼板の上面におけるコンクリート層接合個所に貼り付けた多数の中空の埋め殺し用型枠と、上記底鋼板上に上記埋め殺し用型枠を埋設するよう形成したコンクリート層とを備えて、該コンクリート層の下面側に上記埋め殺し用型枠による空洞を設けてなる構成を有することを特徴とする合成床版。
【請求項２】
底鋼板上に貼り付ける埋め殺し用型枠を樹脂製とした請求項１記載の合成床版。
【請求項３】
底鋼板上に貼り付ける埋め殺し用型枠の上部をアーチ形状とした請求項１又は２記載の合成床版。
【請求項４】
底鋼板上に、多数の埋め殺し用型枠を、橋軸方向及び橋軸直角方向に所要間隔で並べて配設するようにした請求項１、２又は３記載の合成床版。
【請求項５】
底鋼板上に、多数の埋め殺し用型枠を所要間隔を隔てて配置して、該各埋め殺し用型枠同士の間に、ハニカム状の隙間が形成されるようにした請求項１、２又は３記載の合成床版。
【請求項６】
近接して配置される複数の埋め殺し用型枠で囲まれる部分の中央となる位置の底鋼板上に、スタッドを設けるようにした請求項４又は５記載の合成床版。
【請求項７】
橋軸方向に配列される埋め殺し用型枠の隣接するもの同士の間と対応する位置の底鋼板上に、橋軸直角方向に延びるリブを設けるようにした請求項４記載の合成床版。
【請求項８】
橋軸方向及び橋幅方向に延びる鉄筋を、各埋め殺し用型枠の頂部の上方位置で交差させて配筋してコンクリート層に埋設させるようにした請求項１、２、３、４、５、６又は７記載の合成床版。
【請求項９】
底鋼板上にて埋め殺し用型枠を埋設するように形成させるコンクリート層を、鋼繊維補強コンクリート製とした請求項１、２、３、４、５、６、７又は８記載の合成床版。
【発明の詳細な説明】
【技術分野】
【０００１】
本発明は、底鋼板にコンクリート層を一体に接合してなる合成床版に関するもので、特に重量を軽減した合成床版に関するものである。
【背景技術】
【０００２】
橋梁や高架道路を構成する床版の１つとして、鋼製型枠となる底鋼板をリブで補強し、且つ該底鋼板の上側にコンクリートを打設し充填してコンクリート層（コンクリートスラブ）を形成して上記底鋼板とコンクリートとからなる構成を有する合成床版が用いられている。
【０００３】
ところで、一般に、床版は自重が大きいため、床版を鋼桁上に取り付けている場合は、該床版を支持する鋼桁にかかる負担が大きくなるため、鋼桁を大きなものとする必要が生じている。したがって、床版の自重をより軽量化できれば、鋼桁をより小さく（細く）することが可能となる。
【０００４】
又、橋梁の補修工事を行う場合、既存の鋼桁の鋼材に錆等による減肉が生じていたり、疲労が生じていると、該既存の鋼桁の強度が当初の設計強度よりも低下している可能性がある。そのため、橋梁の補修に際して床版を打ち替えるときに、既設の床版を軽い新たな床版に打ち替えるようにすれば、腐食減肉や疲労が生じている既存の鋼桁であっても、その負担を減らすことができると考えられる。
【０００５】
以上のような点に鑑みて、軽量化を図ることが可能な床版が従来提案されてきている。
【０００６】
図１１は、軽量化を図るために従来提案されている床版の一例を示すもので、コンクリート床版１が３層のコンクリート層２，３，４で構成してある。
【０００７】
上記各コンクリート層２，３，４はそれぞれ比重の異なる発泡ビーズ混入コンクリートにより形成してあり、これにより重量の軽減化を図ることができるようにしてある。
【０００８】
更に、１層目のコンクリート層２は耐摩耗性を高めるために硬度の高いコンクリートにより形成するようにしてある。又、２層目のコンクリート層３内には、長手方向に延びる空洞部５が幅方向に所要ピッチで多数形成してあり、これにより更なる軽量化を図るようにしてある。３層目のコンクリート層４は上記２層目のコンクリート層３よりも比重が大きく設定してあり、該３層目のコンクリート層４には、ＰＣ鋼線６を用いてプレストレスが導入してある。
【０００９】
上記２層目のコンクリート層３に設ける空洞部５の断面形状としては、円形、長円形、楕円形、三角形、四角形、その他多角形状等とする考えが示されている（たとえば、特許文献１参照）。
【００１０】
又、比較的短いスパンの橋に採用される合成床版橋としては、図１２にその一例の概略を示す如きものが従来提案されている。
【００１１】
図１２に示した合成床版橋は、橋軸直交方向に所定幅を有し且つ橋軸方向に延在する底鋼板７を備え、該底鋼板７上における橋軸直交方向の所定間隔位置に、橋軸方向に延在するＵ型リブ８が、概ね逆Ｕ字状を呈するように溶接してある。更に、上記Ｕ形リブ８と格子を形成するように、橋軸直交方向に延在するＴ形リブ９が、橋軸方向所要間隔で配設してある。
【００１２】
上記Ｕ形リブ８とＴ形リブ９の上には、上面にアスファルト層１１を有する鉄筋コンクリート床版１０が形成してある（たとえば、特許文献２参照）。
【００１３】
更に、合成床版の１つとしては、図１３にその一例の概略を示す如きものが従来提案されている。
【００１４】
図１３に示した合成床版は、底鋼板１２のコンクリート打設個所の表面に、長手方向の所要間隔個所に長手方向に沿う長円形の孔１４を設けてなる構成のリブ１３が、所定間隔で平行に且つ各リブ１３の長円形の孔１４同士の位置がそれぞれ横方向に揃うように配列して設置してある。上記各リブ１３同士の横方向に揃えられた各長円形の孔１４には、リブ１３と直角方向に延びる一連の鋼パイプ１５が挿通して配置してある。
【００１５】
更に、上記リブ１３の上方に鉄筋１６を配筋した状態で、上記底鋼板１９上に、上記リブ１３及び鋼パイプ１５を埋設するようにコンクリートを打設してコンクリート層（コンクリートスラブ）１７を形成した構成としてある（たとえば、特許文献３参照）。
【先行技術文献】
【特許文献】
【００１６】
【特許文献１】特開平９−２０９４８６号公報
【特許文献２】特開２００６-６９７４２号公報
【特許文献３】特開２００４−３２９０号公報
【発明の概要】
【発明が解決しようとする課題】
【００１７】
ところが、上記特許文献１に示された従来のコンクリート床版は、各コンクリート層２と３と４を積層した状態で形成させるために、コンクリートを３回に分けて打つ必要があり、よって、工数が嵩むという問題がある。又、打ち継ぎ目も複雑化してしまうという問題もある。
【００１８】
更に、上記特許文献１に示されたものは底鋼板のないコンクリート床版１であるため、下面側に位置する３層目のコンクリート層４に空洞を設けると、床版としての強度が落ちてしまうために、空洞部５は、２層目のコンクリート層３内に収める必要がある。そのために、上記空洞部５の上下方向寸法は、床版全体の断面の上下方向寸法に対して２〜３割程度にしか設定できないため、重量軽減効果が小さい。
【００１９】
上記特許文献２に示された合成床版橋では、Ｕ形リブ８の内部を空洞にすることはできるが、底鋼板７上に設けてあるＵ形リブ８とＴ形リブ９とからなる構造を床版に適用しようとすると、該構造を床版の厚み寸法内に収める必要上、上記Ｕ形リブ８の高さ寸法が制限されてしまう。
【００２０】
又、上記Ｕ形リブ８は底鋼板７に溶接するものであるため鋼製であることは明らかであり、そのため、該Ｕ形リブ８自体の重量が嵩むことから、上記したようにＵ形リブ８の内部が空洞になることによる重量軽減効果が小さいという問題がある。
【００２１】
更に、上記特許文献２に示された底鋼板７上に設けてあるＵ形リブ８とＴ形リブ９とからなる構造を床版に適用する場合、上記Ｕ形リブ８は橋軸方向に連続しているため、床版同士の継手部では上記Ｕ形リブ８同士を繋ぐ必要が生じる。そのために、継手形状が複雑になってしまうという問題が生じる。
【００２２】
上記特許文献３に示された合成床版は、リブ１３の孔１４に挿通させて配置する鋼パイプ１５自体の自重が大きいため、該鋼パイプ１５の内部が空洞になることによる重量軽減効果は少ない。
【００２３】
そこで、本発明は、底鋼板上にコンクリート層を一体に接合してなる合成床版にて、重量を軽減することができ、しかも、容易に製造することが可能な合成床版を提供しようとするものである。
【課題を解決するための手段】
【００２４】
本発明は、上記課題を解決するために、請求項１に対応して、底鋼板と、底鋼板の上面におけるコンクリート層接合個所に貼り付けた多数の中空の埋め殺し用型枠と、上記底鋼板上に上記埋め殺し用型枠を埋設するよう形成したコンクリート層とを備えて、該コンクリート層の下面側に上記埋め殺し用型枠による空洞を設けてなる構成とする。
【００２５】
又、上記構成において、底鋼板上に貼り付ける埋め殺し用型枠を樹脂製とした構成とする。
【００２６】
更に、上記各構成において、底鋼板上に貼り付ける埋め殺し用型枠の上部をアーチ形状とした構成とする。
【００２７】
更に又、上記各構成において、底鋼板上に、多数の埋め殺し用型枠を、橋軸方向及び橋軸直角方向に所要間隔で並べて配設するようにした構成とする。
【００２８】
同様に、上記各構成において、底鋼板上に、多数の埋め殺し用型枠を所要間隔を隔てて配置して、該各埋め殺し用型枠同士の間に、ハニカム状の隙間が形成されるようにした構成とする。
【００２９】
上述の各構成において、近接して配置される複数の埋め殺し用型枠で囲まれる部分の中央となる位置の底鋼板上に、スタッドを設けるようにした構成とする。
【００３０】
同様に、上述の構成において、橋軸方向に配列される埋め殺し用型枠の隣接するもの同士の間と対応する位置の底鋼板上に、橋軸直角方向に延びるリブを設けるようにした構成とする。
【００３１】
更に、上記各構成において、橋軸方向及び橋幅方向に延びる鉄筋を、各埋め殺し用型枠の頂部の上方位置で交差させて配筋してコンクリート層に埋設させるようにした構成とする。
【００３２】
更に又、上記各構成において、底鋼板上にて埋め殺し用型枠を埋設するように形成させるコンクリート層を、鋼繊維補強コンクリート製とした構成とする。
【発明の効果】
【００３３】
本発明の合成床版によれば、以下のような優れた効果を発揮する。  
（１）底鋼板と、底鋼板の上面におけるコンクリート層接合個所に貼り付けた多数の中空の埋め殺し用型枠と、上記底鋼板上に上記埋め殺し用型枠を埋設するよう形成したコンクリート層とを備えて、該コンクリート層の下面側に上記埋め殺し用型枠による空洞を設けてなる構成としてあるので、底鋼板上にコンクリート層を形成するために使用するコンクリートの使用量を、該コンクリート層の下面側に埋め殺し用型枠により形成してある空洞に相当する分、削減できる。よって、床版全体の自重の軽量化を図ることができる。  
（２）底鋼板上に貼り付ける埋め殺し用型枠を樹脂製とした構成とすることにより、埋め殺し用型枠自体の自重を軽いものとすることができるため、床版全体の自重の軽量化に有利なものとすることができる。しかも、多数使用する埋め殺し用型枠に要するコストの低減化を図ることもできる。  
（３）底鋼板上に貼り付ける埋め殺し用型枠の上部をアーチ形状とした構成とすることにより、コンクリート層の下面側に形成させる空洞を、埋め殺し用型枠に沿うアーチ形状とすることができる。このため、コンクリート層において、各埋め殺し用型枠の上側に位置する部分のコンクリートの自重と、該部分に上方から作用する荷重を、空洞部のアーチ形状に沿って各埋め殺し用型枠の周りに位置する部分のコンクリートへ圧縮力として伝えることができる。よって、上記各埋め殺し用型枠の周りに位置する部分のコンクリートで、コンクリート層全体の自重とコンクリート層に上方から作用する荷重を支持させることができる。  
（４）底鋼板上に、多数の埋め殺し用型枠を、橋軸方向及び橋軸直角方向に所要間隔で並べて配設するようにした構成とすることにより、コンクリート層の下面側に設ける空洞部同士の間に、橋幅方向に連続するコンクリートのリブ状部分と、橋軸方向に連続するコンクリートのリブ状部分を格子状に連結してなる格子構造を形成させることができる。よって、底鋼板とコンクリート層との付着性を高めることができると共に、剪断耐力を高めることができる。  
（５）底鋼板上に、多数の埋め殺し用型枠を所要間隔を隔てて配置して、該各埋め殺し用型枠同士の間に、ハニカム状の隙間が形成されるようにした構成とすることにより、コンクリート層の下面側に設ける空洞部同士の間に、ハニカム構造のコンクリートのリブ状の部分を形成させることができる。よって、底鋼板とコンクリート層との付着性を高めることができると共に、剪断耐力を高めることができる。  
（６）近接して配置される複数の埋め殺し用型枠で囲まれる部分の中央となる位置の底鋼板上に、スタッドを設けるようにした構成とすることにより、底鋼板とコンクリート層との付着性能を向上させることができて、剪断耐力をより高めることができる。更に、コンクリートが薄肉となっている部分にスタッドから薄肉板厚方向に力が働かないようにすることができる。  
（７）橋軸方向に配列される埋め殺し用型枠の隣接するもの同士の間と対応する位置の底鋼板上に、橋軸直角方向に延びるリブを設けるようにした構成とすることにより、底鋼板とコンクリート層との付着性能を向上させることができて、剪断耐力をより高めることができる。更には、底鋼板にリブを設けた状態で、該底鋼板の鋼製型枠としての強度を高めることができるため、該リブで補強された底鋼板を単独で搬送することが可能になることから、底鋼板上にコンクリートを打設してコンクリート層を形成させる工程を現場施工することができる。  
（８）橋軸方向及び橋幅方向に延びる鉄筋を、各埋め殺し用型枠の頂部の上方位置で交差させて配筋してコンクリート層に埋設させるようにした構成とすることにより、埋め殺し用型枠を埋設して形成したコンクリート層において上下方向のコンクリート厚み寸法が最も小さくなる埋め殺し用型枠の頂部の上方の部分のコンクリートを、交差させた鉄筋で補強することができる。  
（９）底鋼板上にて埋め殺し用型枠を埋設するように形成させるコンクリート層を、鋼繊維補強コンクリート製とした構成とすることにより、中空の埋め殺し用型枠のサイズをより大きくすることができるため、床版全体の更なる軽量化を図るのに有利なものとすることができる。
【図面の簡単な説明】
【００３４】
【図１】本発明の合成床版の実施の一形態を示す概略切断側面図である。
【図２】図１のＡ−Ａ方向矢視図である。
【図３】図１の合成床版で用いる埋め殺し用型枠を拡大して示すもので、（イ）は切断側面図、（ロ）は切断平面図である。
【図４】図１の合成床版で用いる埋め殺し用型枠の天井部を拡大して示すもので、（イ）はドーム形状とした場合を、（ロ）は複数の円筒面で形成される形状を、それぞれ示す斜視図である。
【図５】本発明の実施の他の形態を示す概略切断側面図である。
【図６】図５のＢ−Ｂ方向矢視図である。
【図７】図５のＣ−Ｃ方向矢視図である。
【図８】本発明の実施の更に他の形態を示す概略切断平面図である。
【図９】本発明の実施の更に他の形態を示すもので、（イ）（ロ）（ハ）はいずれも埋め殺し用型枠の変形例を示す切断側面図である。
【図１０】本発明の実施の更に他の形態として、埋め殺し用型枠の別の変形例を示す切断側面図である。
【図１１】軽量化を図るために従来提案されている床版の一例として、コンクリート床版を示す橋軸方向に直交する面による概略切断側面図である。
【図１２】従来提案されている合成床版橋の一例の概略を示す橋軸方向に直交する面で切断した側面図である。
【図１３】従来提案されている合成床版の一例の概略を示す斜視図である。
【発明を実施するための形態】
【００３５】
以下、本発明を実施するための形態を図面を参照して説明する。
【００３６】
図１乃至図４（イ）（ロ）は本発明の合成床版の実施の一形態を示すもので、以下のような構成としてある。
【００３７】
すなわち、本発明の合成床版１８は、底鋼板１９と、該底鋼板１９の上面におけるコンクリート層２０の接合個所に配設する多数の中空の埋め殺し用型枠２１と、上記底鋼板１９の上側に上記埋め殺し用型枠２１を埋設するよう形成したコンクリート層２０とを備えてなる構成とする。
【００３８】
詳述すると、上記埋め殺し用型枠２１は、図３（イ）（ロ）に示す如く、上下方向に所要寸法延びる筒状の胴部、たとえば、水平断面形状が正方形の角筒状の胴部２１ａを備え、且つ該胴部２１ａの上端側を、アーチ状の天井部２１ｂで閉塞させた中空構造としてある。なお、上記アーチ状の天井部２１ｂは、上記胴部２１ａの軸心位置を通る面での垂直断面形状がアーチ状となるようにしてあれば、図４（イ）に示すように、該天井部２１ｂの頂部を中心としてアーチを水平方向に回転させることで形成される、いわゆるドーム形状、あるいは、図４（ロ）に示すように、天井部２１ｂの頂部と上記胴部２１ａの各側面の上端部とを、水平方向の軸心を有する個別の円筒面で滑らかに繋いだ形状とするようにしてもよい。これにより、埋め殺し用型枠２１を埋設するよう形成してある上記コンクリート層２０において、上記埋め殺し用型枠２１の上側に位置する部分のコンクリートの自重と、該部分のコンクリートに対して上方から作用する荷重とを、上記埋め殺し用型枠２１の天井部２１ｂの外面に沿ってアーチ形状に形成されている部分のコンクリートを介し、該埋め殺し用型枠２１の胴部２１ａの周りに位置する部分のコンクリートへ、圧縮力として伝えることができるようにしてある。よって、上記各埋め殺し用型枠２１の胴部２１ａの周りに位置する部分のコンクリートで、上記コンクリート層２０全体の自重及び該コンクリート層２０に上方から作用する荷重を支持させることができるようにしてある。
【００３９】
なお、上記埋め殺し用型枠２１は、下端を除く外面のすべての角部を丸めるようにしてあり、これにより、上記コンクリート層２０にて、該埋め殺し用型枠２１外面に接する部分のコンクリートに応力集中が生じる虞を未然に防止できるようにしてある。なお、図４（イ）（ロ）では図示する便宜上、胴部２１ａの周囲に角部が記載してある。
【００４０】
更に、上記埋め殺し用型枠２１は、樹脂製としてある。これにより、埋め殺し用型枠２１の自重の軽量化を図ることができるようにしてある。しかも、上記所要形状の埋め殺し用型枠２１を大量生産することが可能となるため、多数使用する埋め殺し用型枠２１に要するコストの低減化を図ることができるようにしてある。
【００４１】
以上の構成としてある埋め殺し用型枠２１は、底鋼板１９上へのコンクリート層２０形成用のコンクリートを打設する工程の前に、図１及び図２に示すように、角筒状としてある胴部２１ａの各側面を図１及び図２に矢印ｘで示す橋軸方向、及び、図２に矢印ｙで示す橋軸直角方向、すなわち、橋幅方向にそれぞれ沿わせた姿勢で、上記底鋼板１９の上面における継手部１９ａを除くコンクリート層２０接合個所に、橋軸方向（ｘ方向）及び橋幅方向（ｙ方向）にそれぞれ所要間隔で多数並べて配置して、図３（イ）に示すように、底鋼板１９の上面に、該各埋め殺し用型枠２１の胴部２１ａの下端を、周方向の全周に亘り接着剤等の所要の貼り付け手段２２を用いて水密に貼り付けるようにしてある。これにより、上記底鋼板１９上で橋軸方向（ｘ方向）及び橋幅方向（ｙ方向）にそれぞれ所要間隔で配列された各埋め殺し用型枠２１のうち、橋軸方向（ｘ方向）に配列された各埋め殺し用型枠２１の隣接するもの同士の間に、橋幅方向（ｙ方向）に連続する空間が形成されるようにしてある。又、橋幅方向（ｙ方向）に配列された各埋め殺し用型枠２１の隣接する各埋め殺し用型枠２１同士の間に、橋軸方向（ｘ方向）に連続する空間部が形成されるようにしてある。よって、上記各埋め殺し用型枠２１を上記底鋼板１９上に配設した後の工程で、図１及び図２に示すように、上記底鋼板１９の上に上記各埋め殺し用型枠２１を埋設するようコンクリートを打設してコンクリート層２０を形成させると、上記橋軸方向（ｘ方向）に隣接する各埋め殺し用型枠２１同士の間に、橋幅方向（ｙ方向）に連続するコンクリートのリブ状の部分（以下、橋幅方向コンクリートリブと云う）２３ａをそれぞれ形成させると共に、上記橋幅方向（ｙ方向）に隣接する埋め殺し用型枠２１同士の間に、橋軸方向（ｘ方向）に連続するコンクリートのリブ状の部分（以下、橋軸方向コンクリートリブと云う）２３ｂをそれぞれ形成させることができるようにしてある。したがって、上記底鋼板１９上に上記コンクリート層２０を接合した状態では、該コンクリート層２０の下面側に、上記橋軸方向（ｘ方向）に所要間隔で平行に配列された各橋幅方向コンクリートリブ２３ａと、橋幅方向（ｙ方向）に所要間隔で平行に配列された各橋軸方向コンクリートリブ２３ｂが格子状に一体に連結された格子構造を形成できて、上記底鋼板１９と該コンクリート層２０との付着性を高めることができると共に、剪断耐力を高めることができるようにしてある。
【００４２】
更に、上記底鋼板１９の上面のコンクリート層２０接合個所において、上記橋軸方向（ｘ方向）及び橋幅方向（ｙ方向）にそれぞれ所要間隔で配列してある各埋め殺し用型枠２１のうち、橋軸方向（ｘ方向）と橋幅方向（ｙ方向）に互いに近接して配置されている４つの埋め殺し用型枠２１で形成される正方形の中央と対応する位置には、底鋼板１９上へのコンクリート層２０形成用のコンクリートを打設する工程の以前に、予めスタッド２４をそれぞれ突設してなる構成とする。これにより、その後の工程で上記底鋼板１９上に上記各埋め殺し用型枠２１を埋設するようにコンクリート層２０を接合すると、該コンクリート層２０の下面側に形成される各橋幅方向コンクリートリブ２３ａと上記各橋軸方向コンクリートリブ２３ｂとの交点部分に、上記各スタッド２４がそれぞれ埋め込まれるようにしてある。したがって、上記底鋼板１９上に上記コンクリート層２０を接合した状態では、個々のスタッド２４でそれぞれ対応する上記橋幅方向コンクリートリブ２３ａと橋軸方向コンクリートリブ２３ｂの双方に剪断力を伝えることができる。一方、上記橋軸方向（ｘ方向）に隣接する埋め殺し用型枠２１同士の間で橋幅方向コンクリートリブ２３ａが薄肉となっている部分、及び、上記橋幅方向（ｙ方向）に隣接する各埋め殺し用型枠２１同士の間で上記橋軸方向コンクリートリブ２３ｂが薄肉となっている部分、には、該各スタッド２４から薄肉板厚方向に力が働かないようにしてある。
【００４３】
上記底鋼版１９上に設けた各埋め殺し用型枠２１の上方には、底鋼板１９上へのコンクリート層２０形成用のコンクリートを打設する工程の以前に、予め橋軸方向（ｘ方向）に延びる鉄筋２５ａと、橋幅方向（ｙ方向）に延びる鉄筋２５ｂとを格子状に配筋するようにして、その後の工程で上記底鋼板１９上に上記各埋め殺し用型枠２１を埋設するようにコンクリート層２０を接合するときに、該各鉄筋２５ａ，２５ｂが、コンクリート層２０に埋設されるようにしてある。更に、上記したように各橋軸方向（ｘ方向）の鉄筋２５ａと各橋幅方向（ｙ方向）の鉄筋２５ｂを配筋するときには、該各鉄筋２５ａ，２５ｂ同士が、上記各埋め殺し用型枠２１の頂部の上方位置で交差するようにした構成としてある。これにより、上記各埋め殺し用型枠２１を埋設するよう形成するコンクリート層２０では、該各埋め殺し用型枠２１の頂部の上方位置で上下方向のコンクリート厚み寸法が最も小さくなるが、この上下方向のコンクリート厚み寸法が最も小さくなる部分を、上記交差させた橋軸方向と橋幅方向の各鉄筋２５ａと２５ｂの双方で補強することができるようにしてある。
【００４４】
上記コンクリート層２０は、鋼繊維補強コンクリートを用いて形成することが好ましい。このようにすれば、上記コンクリート層２０の強度を高めることができるため、通常のコンクリートを用いて上記コンクリート層２０を形成させる場合に比して、上記中空としてある各埋め殺し用型枠２１のサイズをより大きくして、隣接する各埋め殺し用型枠２１同士の間や、各埋め殺し用型枠２１の上方に充填されるコンクリートの厚みを薄くすることが可能になることから、合成床版１８全体の軽量化を図るのに有利になる。なお、上記鋼繊維補強コンクリートと同程度の強度が得られれば、鋼繊維以外の繊維補強コンクリートや、繊維補強以外の任意の手段で強度を高めた高強度コンクリートを用いてコンクリート層２０を形成させるようにしてもよい。
【００４５】
更に、本実施の形態では、上記コンクリート層２０は、底鋼板１９の橋軸方向（ｘ方向）の両端部に所要の長さ寸法で設ける継手部１９ａの上側を除いて形成した構成としてある。これにより、本発明の合成床版１８のプレキャスト化を図ることができるようにしてある。
【００４６】
すなわち、以上の構成としてある本発明の合成床版１８を製造する場合は、工場等にて、先ず、底鋼板１９の上面におけるコンクリート層２０接合個所に、上述したような所定の配置で多数の埋め殺し用型枠２１を貼り付けると共に、各スタッド２４を取り付ける。次に、上記各埋め殺し用型枠２１の上方に、橋軸方向（ｘ方向）と橋幅方向（ｙ方向）の鉄筋２５ａと２５ｂを、上述した所定の配置で配筋する。次いで、上記底鋼板１９の上面における橋軸方向（ｘ方向）両端部の継手部１９ａの内側位置に、図示しない型枠を仮設した状態で、上記各埋め殺し用型枠２１と各スタッド１４と各鉄筋２５ａ，２５ｂを埋設するようにコンクリートを打設し、養生することで、上記底鋼板１９上にコンクリート層２０を一体に接合してなるプレキャストの合成床版１８が製造されるようになる。
【００４７】
上記のようにして製造したプレキャストの合成床版１８を使用する場合は、床版設置現場へ搬入し、図示しない橋桁上に、該合成床版１８を橋軸方向（ｘ方向）に並べて配置する。その後、図１及び図２に示すように、隣接して配置されている合成床版１８の底鋼板１９の橋軸方向（ｘ方向）の端部に設けてある継手部１９ａ同士を、突合せた状態で添接板２６と高力ボルト２７を介して連結し、しかる後、上記連結された合成床版１８の底鋼板１９の継手部１９ａの上側に、図１に二点鎖線で示すように、間詰コンクリート２８を充填するように打設するようにすればよい。
【００４８】
このように、本発明の合成床版１８によれば、底鋼板１９の上に接合するコンクリート層２０の下面側に、底鋼板１９上に貼り付けてある多数の埋め殺し用型枠２１の内部空間に応じた空洞を設けることができるため、コンクリート層２０を構成するコンクリートの使用量を低減させることができる。しかも、上記埋め殺し用型枠２１は樹脂製とすることで、該埋め殺し用型枠２１自体の自重を軽いものとすることができる。よって、本発明の合成床版１８を、床版全体で自重の軽いものとすることができる。
【００４９】
したがって、本発明の合成床版１８を用いることで、橋梁の鋼桁の負担を減らすことができて、該鋼桁を小さく（細く）できる効果が期待できる。又、本発明の合成床版１８は、橋梁の補修工事を行う場合に、既存の鋼桁の鋼材に錆等による減肉が生じていたり、疲労が生じていることに起因して、該既存の鋼桁の強度が当初の設計強度よりも低下している場合等に、打ち替え用の床版として用いるのに好適なものとすることができる。
【００５０】
更に、上記底鋼板１９の継手部１９ａの上側には上記埋め殺し用型枠２１を設けていないため、継手構造が複雑化する虞はない。
【００５１】
又、上記各埋め殺し用型枠２１の天井部２１ｂがアーチ形状としてあるので、上記コンクリート層２０の下面側に形成される空洞もアーチ形状にすることができる。これにより、該コンクリート層２０において、上記空洞を設けることで、該空洞の上方に位置する部分の上下方向のコンクリート厚み寸法が小さくなるとしても、該部分の自重と上方から作用する荷重を、上記埋め殺し用型枠２１の天井部の外面に沿うアーチ形状の部分に沿わせて圧縮力に変換した状態で、上記埋め殺し用型枠２１の胴部２１ａの周りに位置する部分のコンクリートへ伝えて支持させることができる。
【００５２】
更に、上記底鋼板１９上に、多数の埋め殺し用型枠２１を、橋軸方向（ｘ方向）及び橋幅方向（ｙ方向）にそれぞれ所要間隔で並べて配置してあることで、上記コンクリート層２０の下面側に上記各埋め殺し用型枠２１によって形成される空洞同士の間に、橋軸方向（ｘ方向）に所要の間隔で平行に配列された橋幅方向コンクリートリブ２３ａと、橋幅方向（ｙ方向）に所要の間隔で平行に配列された橋軸方向コンクリートリブ２３ｂとによる一体の格子構造を形成させることができて、該コンクリート層２０の剪断耐力を高めることができる。
【００５３】
更に又、上記底鋼板１９上における上記コンクリート層２０の橋幅方向コンクリートリブ２３ａと橋軸方向コンクリートリブ２３ｂの交点部分に対応する位置に、予めスタッド２４をそれぞれ設けておくことで、個々のスタッド２４により、上記コンクリート層２０の橋幅方向コンクリートリブ２３ａと橋軸方向コンクリートリブ２３ｂの双方の底鋼板１９に対する付着性能を高めることができる。
【００５４】
更には、コンクリート層２０にて最も上下方向のコンクリート層厚み寸法が小さくなる各埋め殺し用型枠２１の頂部上方に存在する部分のコンクリートを、該各埋め殺し用型枠２１の頂部の上方で交差するように配筋してある鉄筋２５ａ，２５ｂで補強することができる。
【００５５】
よって、上記コンクリート層２０の下面側に空洞を設けた状態としても、該コンクリート層２０の強度低下を未然に防止することができて、本発明の合成床版１８に床版として所望される強度を容易に得ることができる。
【００５６】
しかも、本発明の合成床版１８は、底鋼板１９の上面のコンクリート層２０接合個所に、上記各埋め殺し用型枠２１を所定の配置で貼り付けると共に、上記各スタッド２４を所定の配置で取り付け、更に、上記鉄筋２５ａ，２５ｂを配筋した状態で、該各埋め殺し用型枠２１、各スタッド２４、各鉄筋２５ａ，２５ｂを埋設するようコンクリート層２０を形成するためのコンクリートの打設を１回で行うことができるため、製造を容易なものとすることができる。
【００５７】
更に、本発明の合成床版１８を、予め工場等で底鋼板１９の継手部１９ａの上方のみを残して該底鋼板１９上にコンクリート層２０を接合してプレキャスト化することにより、床版設置工事でのコンクリートの打設を間詰コンクリート２８のみとすることができるため、急速施工に対応することができて、床版打ち替え工事のために交通を止める期間の短縮化を図る効果が期待できる。
【００５８】
次に、図５乃至図７は本発明の実施の他の形態を示すもので、図１乃至図４（イ）（ロ）に示したと同様の構成において、底鋼板１９の上面のコンクリート層２０接合個所における橋軸方向（ｘ方向）及び橋幅方向（ｙ方向）に近接して配置される４つの埋め殺し用型枠２１の中央位置ごとに、スタッド２４をそれぞれ突設した構成に代えて、底鋼板１９の上面のコンクリート層２０の接合個所にて、橋軸方向（ｘ方向）に配列される各埋め殺し用型枠２１の隣接するもの同士の中間位置となる橋軸方向（ｘ方向）所要間隔位置に、橋幅方向（ｙ方向）に延びる鋼製のリブ２９をそれぞれ底鋼板１９に溶接して設けた構成としたものである。これにより、底鋼板１９の上面のコンクリート層２０設置個所に上記鋼製リブ２９を橋軸方向の所定の配置で設置すると共に、多数の埋め殺し用型枠２１を所定位置にそれぞれ貼り付けた状態で、上記底鋼板１９上に上記各鋼製リブ２９及び埋め殺し用型枠２１を埋設するようにコンクリートを打設してコンクリート層２０を形成するときに、該コンクリート層２０の下面側に橋軸方向（ｘ方向）に所要間隔で形成される各橋幅方向コンクリートリブ２３ａに、上記各鋼製リブ２９がそれぞれ埋め込まれるようにしてある。よって、上記各鋼製リブ２９を介して底鋼板１９とコンクリート層２０との付着性能を高めることができるようにして、床版全体の剪断耐力をより向上させることができるようにしてある。
【００５９】
更に、上記各鋼製リブ２９には、長手方向所要間隔個所に橋軸方向（ｘ方向）に貫通する孔３０をそれぞれ穿設してなる構成としてもよい。このようにすれば、上記したと同様にして底鋼板１９上に各埋め殺し用型枠２１と鋼製リブ２９を埋設するコンクリート層２０を形成させると、上記各孔３０の内側にコンクリート層２０のコンクリートが貫通して配置されるため、上記底鋼板１９とコンクリート層２０との付着性能を更に高める効果が期待できる。
【００６０】
なお、上記のように各鋼製リブ２９の長手方向所要間隔個所に孔３０を設ける場合、該各孔３０の位置は、橋幅方向（ｙ方向）に配列される各埋め殺し用型枠２１の隣接するもの同士の中間となる位置に対応させて設けることが望ましい。このようにすれば、上記と同様にして底鋼板１９上にコンクリート層２０を形成させると、上記鋼製リブ２９の各孔３０の両側には、上記コンクリート層２０の下面側に形成される橋軸方向コンクリートリブ２３ｂが存在するようになるため、該橋軸方向コンクリートリブ２３ｂの橋軸方向に連続する部分のコンクリートにより、上記鋼製リブ２９の各孔３０の内側に存在しているコンクリートを孔３０の両側から抑えて拘束できるため、剪断耐力を更に向上させる効果が期待できる。
【００６１】
その他の構成は図１乃至図４（イ）（ロ）に示したものと同様であり、同一のものには同一の符号が付してある。
【００６２】
本実施の形態によっても、図１乃至図４（イ）（ロ）の実施の形態と同様の効果を得ることができる。
【００６３】
更に、底鋼板１９上に鋼製リブ２９を取り付けることで、該底鋼板１９の鋼製型枠としての強度を高めることができるため、該鋼製リブ２９で補強された底鋼板１９を単独で搬送することが可能となる。よって、底鋼板１９上にコンクリートを打設してコンクリート層２０を形成させる工程を現場施工することができる。
【００６４】
次いで、図８は本発明の実施の更に他の形態を示すもので、図１乃至図４（イ）（ロ）に示したと同様の構成において、底鋼板１９上に、筒状の胴部２１ａとアーチ形状の天井部２１ｂからなる埋め殺し用型枠２１を、橋軸方向（ｘ方向）及び橋幅方向（ｙ方向）にそれぞれ所要間隔で並べて配列した構成に代えて、底鋼板１９の上面におけるコンクリート層２０接合個所に、多数の埋め殺し用型枠２１を、該各埋め殺し用型枠２１がそれぞれ六方格子の中心に位置し且つ隣接する埋め殺し用型枠２１同士の間に所要間隔を隔てた状態で配置して底鋼板１９に貼り付けるようにしたものである。
【００６５】
なお、本実施の形態では、各埋め殺し用型枠２１を、筒状の胴部２１ａの水平断面形状が正六角形となるようにして、隣接する埋め殺し用型枠２１の胴部２１ａの側面同士が平行に配置されるようにしてある。
【００６６】
又、上記各埋め殺し用型枠２１のうち、互いに近接する３つの埋め殺し用型枠２１で形成される正三角形の中央と対応する底鋼板１９上の所要位置に、それぞれスタッド２４を突設した構成としてある。
【００６７】
その他の構成は図１乃至図４（イ）（ロ）に示したものと同様であり、同一のものには同一の符号が付してある。
【００６８】
本実施の形態によれば、上記底鋼板１９上に上記多数の埋め殺し用型枠２１を所定の配置で貼り付けると共に、各スタッド２４を所定の配置で設けた状態で、該底鋼板１９上にコンクリートを打設してコンクリート層２０を形成させると、該コンクリート層２０の下面側に上記底鋼板１９上に貼り付けてある多数の埋め殺し用型枠２１の内部空間に応じた空洞を設けることができるため、床版全体の自重の軽量化を図ることができ、この軽量化に伴い、図１乃至図４の（イ）（ロ）の実施の形態と同様の効果を得ることができる。
【００６９】
又、上記コンクリート層２０の下面部には、天井部２１ｂがアーチ形状としてある上記各埋め殺し用型枠２１により形成されるアーチ形状を備えた空洞の間に、ハニカム構造（六方格子構造）のコンクリートリブを形成することができる。よって、本実施の形態によっても、該コンクリート層２０の剪断耐力を高めることができると共に、上記各スタッド２４により、上記コンクリート層２０のハニカム構造のコンクリートリブの各交点部分の底鋼板１９に対する付着性能を高めることができることから、コンクリート層２０の下面側に空洞を設けた状態としても、該コンクリート層２０の強度低下を未然に防止することができて、本実施の形態の合成床版１８に床版として所望される強度を容易に得ることができる。
【００７０】
更に、図１乃至図４（イ）（ロ）の実施の形態と同様に、製造を容易なものとすることができると共に、プレキャスト化することで、急速施工に対応することが可能となる。
【００７１】
次いで、図９（イ）（ロ）（ハ）は本発明の実施の更に他の形態として、本発明の合成床版１８で用いる埋め殺し用型枠２１の変形例を示すもので、以下のようにしてある。
【００７２】
すなわち、本実施の形態の埋め殺し用型枠２１は、図３（イ）（ロ）に示したと同様の筒状の胴部２１ａとアーチ状の天井部２１ｂからなる構成において、上記天井部２１ｂの所要個所、たとえば、頂部に、内外方向に貫通する孔２１ｃを設け、更に、該孔２１ｃを閉塞させるための栓（蓋）２１ｄを備えてなる構成としてある。
【００７３】
ここで、本発明の合成床版１８の構造について述べると、コンクリート層２０の下面側に中空の埋め殺し用型枠２１により空洞が形成してあるため、該コンクリート層２０を浸透した水が、上記中空の埋め殺し用型枠２１の内側に集まって溜まるようになると、底鋼板１９に腐食が生じる虞が懸念されることから、該埋め殺し用型枠２１の内側への水の進入を未然に防止する必要がある。
【００７４】
そのために、上記図１乃至図４（イ）（ロ）の実施の形態では、図３（イ）に示したように、各埋め殺し用型枠２１の胴部２１ａの下端を、周方向の全周に亘り接着剤等の所要の貼り付け手段２２を用いて底鋼板１９の上面に水密に貼り付けることで、該各埋め殺し用型枠２１の内部への水の進入を未然に防止するようにしてある。
【００７５】
しかし、上記貼り付け手段２２として接着剤を用いる場合は、該接着剤が固まるまでの間に、たとえば、温度変化等により上記埋め殺し用型枠２１の内部と外部で気圧の差が生じると、上記固まる前の接着剤に埋め殺し用型枠２１の内外に連通する空気の通路が形成されてしまい、この空気の通路が形成されたまま接着剤が固まることで、上記埋め殺し用型枠２１の底鋼板１９への貼り付け個所の水密性が保持できなくなる虞が懸念される。
【００７６】
そこで、上記したように埋め殺し用型枠２１の貼り付け手段２２として接着剤を用いる場合に、温度変化等による埋め殺し用型枠２１の内部と外部に気圧差が生じる虞が懸念される場合は、本実施の形態の天井部２１ｂに内外方向に貫通する孔２１ｃを具備してなる構成の埋め殺し用型枠２１を、先ず、図９（イ）に示すように、栓２１ｄを取り外して上記孔２１ｃを開放した状態で、胴部２１ａの下端を、周方向の全周に亘り貼り付け手段としての接着剤２２ａを用いて底鋼板１９の所定位置に貼り付ける。その後、上記接着剤２２ａが固まることで上記埋め殺し用型枠２１の胴部２１ａの下端が全周に亘り上記底鋼板１９に水密に貼り付けられた後に、図９（イ）に二点鎖線で示すように上記孔２１ｃを栓２１ｄで閉塞させるようにすればよい。このようにすれば、上記接着剤２２ａが固まるまでの間は、上記孔２１を通して埋め殺し用型枠２１の内外の気圧は同一に保たれるため、固まる前の上記接着剤２２ａに空気の通路が形成される虞を未然に防止できて、上記底鋼板１９に該埋め殺し用型枠２１の下端を水密に貼り付けることができるため、該埋め殺し用型枠２１の内部に水が進入する虞を未然に防止できる。
【００７７】
又、本実施の形態の埋め殺し用型枠２１は、先ず、栓２１ｄを取り外して上記孔２１ｃを開放した状態で、胴部２１ａの下端を、周方向の全周に亘り底鋼板１９の所定位置に接着剤や両面テープ等の任意の貼り付け手段２２を用いて貼り付け、次いで、上記底鋼板１９に貼り付けられた埋め殺し用型枠２１に設けてある孔２１ｃを通して、図９（ロ）に示すように、該埋め殺し用型枠２１の内部空間の下部、あるいは、図９（ハ）に示すように、該埋め殺し用型枠２１の内部空間の全体に、発泡ウレタンのような発泡樹脂３１を充填し、しかる後、上記孔２１ｃを栓２１ｄで閉塞させるようにしてもよい。このようにすれば、上記埋め殺し用型枠２１の下端と上記底鋼板１９との上記貼り付け手段２２を介した貼り付け個所に、たとえ埋め殺し用型枠２１の内外に連通する空気の通路が形成されたとしても、埋め殺し用型枠２１の内部空間の下部あるいは全体に充填した発泡樹脂３１により、該埋め殺し用型枠２１の内部へ水の浸入を確実に防止することができる。
【００７８】
なお、本発明は、上記実施の形態にのみ限定されるものではなく、埋め殺し用型枠２１の天井部２１ｂのアーチ形状は、必ずしも円弧である必要はなく、楕円弧や放物線等の曲線形状であってもよい。
【００７９】
又、埋め殺し用型枠２１の筒状の胴部２１ａは、隣接する埋め殺し用型枠２１同士の間にコンクリートのリブを形成させると同時に、コンクリート層２０を形成するコンクリートの使用量を低減させる観点からすると、隣接する埋め殺し用型枠２１の胴部２１ａの側面が平行に配置されるような水平断面多角形とすることが望ましいが、埋め殺し用型枠２１の胴部２１ａを円筒状としてもよい。
【００８０】
埋め殺し用型枠２１の胴部２１ａ及び天井部２１ｂの板厚と内部空間との寸法比は、埋め殺し用型枠２１のサイズや、形状、材質に応じて図示したものから適宜変更してもよい。
【００８１】
埋め殺し用型枠２１の上下方向寸法や水平断面寸法、天井部２１のアーチ形状の曲率、胴部２１ａと天井部の２１ｂ上下方向の寸法比等のサイズ、底鋼板１９上に配設する埋め殺し用型枠２１同士の間隔は、本発明の合成床版１８に作用することとなる荷重、該合成床版１８の底鋼板１９の強度、コンクリート層２０に要求される強度、コンクリート層２０を構成するコンクリートの強度等に応じて適宜変更してもよい。
【００８２】
埋め殺し用型枠２１の胴部２１ａの下端を、底鋼板１９の上面に貼り付けるときの貼り付け強度を高めるために、埋め殺し用型枠２１の胴部２１ａの下端を、図１０に示すように内周側に屈曲させたり、図示してないが外周側に屈曲させることで、貼り付け面積を拡大させるようにしてもよい。更には、埋め殺し用型枠２１の胴部２１ａの下端側を閉塞させた構成としてもよい。
【００８３】
その他本発明の要旨を逸脱しない範囲内で種々変更を加え得ることは勿論である。
【符号の説明】
【００８４】
１９  底鋼板
２０  コンクリート層
２１  埋め殺し用型枠
２４  スタッド
２５ａ，２５ｂ  鉄筋
２９  鋼製リブ（リブ）
【図１】
2010216187.tif 000003
【図２】
2010216187.tif 000004
【図３】
2010216187.tif 000005
【図４】
2010216187.tif 000006
【図５】
2010216187.tif 000007
【図６】
2010216187.tif 000008
【図７】
2010216187.tif 000009
【図８】
2010216187.tif 000010
【図９】
2010216187.tif 000011
【図１０】
2010216187.tif 000012
【図１１】
2010216187.tif 000013
【図１２】
2010216187.tif 000014
【図１３】
2010216187.tif 000015